(57)【特許請求の範囲】
【請求項１】
平坦な振動ナイフを有するミクロトームのナイフホルダであって、
支持要素と、該支持要素に対し相対的に運動可能に構成された挟扼要素とを含んで構成されると共に、
前記支持要素が前記ミクロトームの振動機構に結合されており、
前記支持要素が前記ナイフのための支持面を有し、かつ前記挟扼要素が前記ナイフのための挟扼面を有するよう構成され、前記支持面と前記挟扼面が互いに対し平行に配向されるよう構成されたナイフホルダにおいて、
前記挟扼要素（４）は、前記支持要素（２）において摺動可能に設けられており、
前記挟扼要素（４）の前記挟扼面（４ａ）と前記支持要素（２）の前記支持面（２ａ）との間の距離を調整するために偏心機構（６）が設けられており、
該偏心機構（６）を介して前記挟扼要素（４）と前記支持要素（２）との間の前記摺動が行われることにより、前記挟扼面（４ａ）が前記支持面（２ａ）に向って押圧されて前記ナイフ（３）が前記挟扼面（４ａ）と前記支持面（２ａ）との間で挟扼可能となっており、前記挟扼面（４ａ）と前記支持面（２ａ）は、前記摺動のための前記偏心機構（６）の操作の前後において互いに平行であること、及び、
前記ナイフ（３）は、２つの刃先（３ａ、３ｂ）の間に形成される切欠部（３１）を有する剃刀刃（３０）であり、前記支持面（２ａ）は、前記剃刀刃（３０）の前記切欠部（３１）に適合するよう構成された受容部（３２）を有し、前記剃刀刃（３０）は、該ナイフホルダが開放されているとき、前記受容部（３２）が前記切欠部（３１）を介して係合するよう嵌合可能に構成されること
を特徴とするナイフホルダ。
【請求項２】
前記挟扼面（４ａ）と前記支持面（２ａ）との間の前記距離は、０．１ｍｍ〜１．５ｍｍの間で調整可能であること
を特徴とする請求項１に記載のナイフホルダ。
【発明の詳細な説明】
【技術分野】
【０００１】
本発明は、一般に、振動ナイフを有するミクロトームのナイフホルダに関し、とりわけ、支持要素と、該支持要素に対し運動可能に構成された挟扼要素とを含んで構成されると共に、前記支持要素が前記ナイフのための支持面を有し、かつ前記挟扼要素が挟扼面を有するよう構成され、前記支持面と前記挟扼面が互いに対し平行に配向されるよう構成されたナイフホルダに関する。
【背景技術】
【０００２】
ＭＩＣＲＯＭ社は、その価格表６７頁に、種々の刃（ナイフ）のための４つの異なるアダプタを記載している。しかしながら、利用者は、使用される刃（ナイフ）に応じて、異なるアダプタを購入しなければならない。更に、異なるナイフホルダを組み立てる場合、ミクロトームの調整を要することもあり得る。
【０００３】
Ｖｉｂｒａｔｏｍｅ社は、その使用説明書に、両刃の剃刀刃を２つに割り、それらを、細長片状使い捨て刃（ナイフ）として、同じホルダに固定する必要があることに関して詳細に記載している（第９頁左欄；第１節参照）。
【０００４】
【非特許文献１】MICROM; Preisliste  2003/2004、６７頁
【非特許文献２】VIBRATOME; operating Instructions Vibratome Series 3000 Plus- Tissue Sectioning System; Rev. Nov. 2001; ９頁左欄第１パラグラフ
【発明の開示】
【発明が解決しようとする課題】
【０００５】
振動ナイフを有するミクロトームには、種々異なるナイフが使用される。これらのナイフは、多くの場合、大きさと厚さが夫々異なる。例えば、使い捨て剃刀刃の厚さは凡そ０．１ｍｍであり、サファイアナイフ（Saphirmesser）の厚さは凡そ１．２ｍｍである。剃刀刃の厚さは薄いので、切断力が生成する際にナイフの刃先（切断部）を安定化する（安定的ないし強固に保持する）ために、挟扼装置は、該ナイフの刃先（切断部）のできるだけ近くに到達していなければならない。従来は、ナイフホルダを交換することで、これに対処してきた。しかしながら、この方法の欠点は、既に、上記背景技術の欄において記載したとおりである。この方法には、対向する２つの刃を有する剃刀刃を使用する場合、剃刀刃をその中央部で２つに割らなければならないというの更なる欠点もある。
【０００６】
それゆえ、本発明の課題は、簡単な方法で異なる種類のナイフを保持すること、ナイフの交換を簡単に実行すること、及びナイフの交換の際の怪我の危険を簡単な操作で最小化することが可能な、振動ナイフを有するミクロトームのナイフホルダを創製することである。
【課題を解決するための手段】
【０００７】
上記の課題を解決するために、本発明の一視点により、平坦な振動ナイフを有するミクロトームのナイフホルダであって、支持要素と、該支持要素に対し相対的に運動可能に構成された挟扼要素とを含んで構成されると共に、前記支持要素が前記ミクロトームの振動機構に結合されており、前記支持要素が前記ナイフのための支持面を有し、かつ前記挟扼要素が前記ナイフのための挟扼面を有するよう構成され、前記支持面と前記挟扼面が互いに対し平行に配向されるよう構成されたナイフホルダが提供される。このナイフホルダにおいて、前記挟扼要素は、前記支持要素において摺動可能に設けられており、前記挟扼要素の前記挟扼面と前記支持要素の前記支持面との間の距離を調整するために偏心機構が設けられており、該偏心機構を介して前記挟扼要素と前記支持要素との間の前記摺動が行われることにより、前記挟扼面が前記支持面に向って押圧されて前記ナイフが前記挟扼面と前記支持面との間で挟扼可能となっており、前記挟扼面と前記支持面は、前記摺動のための前記偏心機構の操作の前後において互いに平行であること、及び、前記ナイフは、２つの刃先の間に形成される切欠部を有する剃刀刃であり、前記支持面は、前記剃刀刃の前記切欠部に適合するよう構成された受容部を有し、前記剃刀刃は、該ナイフホルダが開放されているとき、前記受容部が前記切欠部を介して係合するよう嵌合可能に構成されること。
【発明の効果】
【０００８】
本発明の独立請求項１により、上記課題に対応した効果が達成される。即ち、本発明のナイフホルダは、簡単な方法で異なる種類のナイフを保持すること、ナイフの交換を簡単に実行すること、及びナイフの交換の際の怪我の危険を簡単な操作で最小化することを可能にする。
更に、各従属請求項により、付加的な効果が夫々達成される。
【発明を実施するための最良の形態】
【０００９】
以下に、本発明の好ましい実施の形態を示す。
（形態１）  振動ナイフを有するミクロトームのナイフホルダであって、支持要素と、該支持要素に対し運動可能に構成された挟扼要素とを含んで構成されると共に、前記支持要素が前記ナイフのための支持面を有し、かつ前記挟扼要素が挟扼面を有するよう構成され、前記支持面と前記挟扼面が互いに対し平行に配向されるよう構成されたナイフホルダにおいて、前記支持面と前記挟扼面は、前記ナイフを挟扼するために所定距離で互いに対し位置調整可能に構成されかつ使用されるナイフの厚さに適合可能に構成されることが好ましい。
（形態２）  上記形態１のナイフホルダにおいて、互いに対し位置調整可能な前記所定距離は、０．１ｍｍ〜１．５ｍｍであることが好ましい。
（形態３）  上記形態１のナイフホルダにおいて、前記支持要素は、前記ミクロトームに固定的に結合されること、及び前記挟扼要素は、前記支持要素に対して運動可能に構成されることが好ましい。
（形態４）  上記形態３のナイフホルダにおいて、前記挟扼要素を前記支持要素に沿って運動可能にする偏心機構を有すること、及び前記偏心機構は、前記挟扼面を前記支持面に向って押圧することにより前記ナイフを挟扼するよう構成されることが好ましい。
（形態５）  上記形態１〜４のナイフホルダにおいて、前記ナイフは、一方の側部にただ１つの刃先（切断部）を有するように（片刃ナイフとして）構成されることが好ましい。
（形態６）  上記形態１〜４のナイフホルダにおいて、前記ナイフは、両方の側部に夫々１つの刃先（切断部）を有するよう（両刃ナイフとして）構成されることが好ましい。
（形態７）  上記形態６のナイフホルダにおいて、前記ナイフは、前記２つの刃先の間に形成される切欠部を有する剃刀刃であることが好ましい。
（形態８）  上記形態７のナイフホルダにおいて、前記支持面は、前記剃刀刃の前記切欠部に適合するよう構成された受容部を有し、前記剃刀刃は、ナイフホルダが開放されているとき、前記受容部が前記切欠部を介して（嵌入ないし貫通して）係合（係止）するよう嵌合可能に構成されることが好ましい。
【００１０】
本発明は、支持面と挟扼面が、ナイフを挟扼するために、互いに対し例えば０．１ｍｍ〜１．５ｍｍの距離で位置調整可能に構成されているので、異なった厚さのナイフに適応できるという利点を有する。
【００１１】
支持要素はミクロトームに固定的に結合され、かつ挟扼要素は支持要素に対し運動可能に構成される。
【００１２】
ナイフホルダは、挟扼要素を支持要素に沿って運動可能にすると共に、挟扼面を支持面に向って押圧することによりナイフを挟扼するよう構成された偏心機構（Exzenter）を有する。
【００１３】
以下に、本発明の実施例を図面を参照して説明する。なお、以下の実施例は発明の理解の容易化のためのものであり、本発明の技術的思想を逸脱しない範囲において当業者により実施可能な付加・置換等の適用を排除することは意図していない。また、特許請求の範囲に付した図面参照符号も発明の理解の容易化のためのものであり、本発明を図示の態様に限定することは意図していない。これらの点に関しては補正・訂正後においても同様である。
【実施例】
【００１４】
図１は、両側に刃先（切断部）３ａ及び３ｂを有するナイフ（両刃ナイフ）３が挟扼（締付保持）されている状態にあるナイフホルダ１の一例の断面図である。ナイフホルダ１は、支持要素２と、該支持要素２に対し相対的に運動可能に構成された挟扼要素４とを含んで構成される。支持要素２は、ミクロトームの振動機構１０に結合されている。長穴５ａに遊嵌するよう挿通され、挟扼要素４に螺合するネジ５によって、支持要素２と挟扼要素４は、（相対的に運動可能に）互いに（一体的に）結合されている。挟扼要素４は、支持要素２に対し二重矢印Ａ−Ａの方向に運動可能に構成されている。ナイフ３は、（処理（切断）対象物の）水平（面）１２に対し所定角度１１をなして傾斜されるように、ナイフホルダ１に固定されている。
【００１５】
挟扼要素４は、支持要素２に対し平行に摺動可能に構成されている（二重矢印Ａ−Ａの方向）。この摺動は、偏心機構（Exzenter）６によって実行することができる。偏心機構６は偏心カム６ａと偏心軸６ｂを有し、偏心軸６ｂは支持要素２の受け孔に回転可能に嵌合されており、偏心カム６ａは挟扼要素４の対応カム受け面６ｃに係合されている。なお、この偏心機構６の代わりに、該偏心機構６と同等の作用効果を有する例えばクサビ形調整機構ないしスクリュウ等の任意の部材ないし機構を使用することも可能である。
【００１６】
図２は、両刃ナイフ３のための挟扼が解除されている（挟扼機構が開放されている）状態にあるナイフホルダ１の一例の断面図である。上述のとおり、ナイフホルダ１は、支持要素２と、該支持要素２に対し運動可能に構成された挟扼要素４とを含んで構成される。支持要素２はナイフ３のための支持面２ａを有し、挟扼要素４は挟扼面４ａを有する。支持面２ａと挟扼面４ａは、互いに対し平行に配向されるように形成されている。ナイフ厚は、この装置では、クリティカルではない（即ち、調整可能であり、特定の厚さに限定されない）。偏心機構６は、例えば凡そ１.５ｍｍまでの厚さを有するナイフを挟扼することができるように構成されている。ネジ５は、支持要素２と挟扼要素４とを（相対的に運動可能に）互いに（一体的に）結合し、偏心機構６が工具（不図示）によって回転（操作）されたとき、（互いに対する）平行な摺動を保証するよう、ねじ５の頭部の裏面が摺動面として構成されている。支持面２ａと挟扼面４ａは、ナイフ３の挟扼のために、例えば０．１ｍｍ〜１．５ｍｍの間の所定距離で互いに対し位置調整可能に構成されている。図２に示したようなナイフホルダ１が開放されている状態では、例えば剃刀刃のような２つの刃先（切断部）を有するナイフ３は、支持要素２の受容部３２（図３参照）に嵌合される。使用されるナイフは、通常、厚さ０．１ｍｍ〜１．５ｍｍであるが、本発明のナイフホルダは、この範囲の厚さ以外の厚さを有するナイフを挟扼することが可能なように構成されることができ、かつ特許請求の範囲の保護範囲に含まれている。
なお、図２において挟扼面４ａは、受容部３２の片側にのみ片持ち式に延び先細に楔状に延在するアーム状受け部２ｂを有する。アーム状受け部２ｂの基部は曲面２ｃとして形成され、ナイフ３の切欠部３１を片側から挿通可能なよう構成されている。片持ち式アーム状受け部は、刃の取付が容易である。
【００１７】
図３は、本発明のナイフホルダにおいて使用可能な剃刀刃３０の一例の平面図を、受容部３２の上面と共に示す。剃刀刃３０は、両側に刃先３ａ及び３ｂを有する。更に、剃刀刃３０は、工具における固定又は組立に利用される中央（中央部に形成された）切欠部３１を有する。本発明のこの実施例では、支持要素２は、剃刀刃３０の位置固定に利用される受容部３２を有する。受容部３２は、ナイフの厚さの最大値に対応する高さの突起状を成す。本実施例では支持面２ａは、図２の場合とは異なり、受容部３２の両側に延在して形成されている。なお、この場合、支持面２ａは、ナイフの切欠部を受容部３２に挿通の後、図示外の係止具（クランプ具等）により支持要素２本体に固定される。
【００１８】
図４は、完成されたナイフホルダ１の一例の３次元図（斜視図）である。ナイフホルダ１には、剃刀刃３０が支持及び挟扼されている。なお、符号３３は、完成されたナイフホルダ１をミクロトームに固定するための固定用ホールを示す。
【図面の簡単な説明】
【００１９】
【図１】両刃ナイフを（挟扼）保持している本発明のナイフホルダの一例の断面図。
【図２】両刃ナイフのための挟扼が解除されている様子を示している本発明のナイフホルダの一例の断面図。
【図３】本発明のナイフホルダにおいて使用可能な剃刀刃の一例の平面図。
【図４】剃刀刃を挟扼している様子を示している本発明のナイフホルダの一例の斜視図。
【符号の説明】
【００２０】
１    ナイフホルダ
２    支持要素
２ａ  支持面（両刃用支持面）
３    ナイフ
３ａ  刃先（切断部）
３ｂ  刃先（切断部）
４    挟扼要素
４ａ  挟扼面
５    ネジ
６    偏心機構
６ａ  偏心カム
６ｂ  偏心軸
６ｃ  カム受け面
１０  振動機構
１１  所定角度
１２  水平（面）
３０  剃刀刃
３１  切欠部
３２  受容部
３３  固定用ホール
【図１】
0005507788.tif 000002
【図２】
0005507788.tif 000003
【図３】
0005507788.tif 000004
【図４】
0005507788.tif 000005